(57)【要約】      （修正有）【課題】自動折り畳み傘を開く時の衝撃力を緩和するための弾性緩衝構造を提供する。【解決手段】中棒１０と、第一連結座２０と、第二連結座３０と、第一弾性部材４１と、第二弾性部材４２と、第三弾性部材４３とを有し、中棒１０は、それぞれが順に環装する外部管体と中部管体と内部管体からなり、該外部管体は、上下摺動可能に中部管体に環装され、その上端にストッパー１１１が取り付けられ、該中部管体は、上下摺動可能に内部管体に環装され、該内部管体の底端に係止ユニット１３２が取り付けられ、第一連結座２０は、中棒の内部に設置され、第二連結座３０は、中棒の内部に設置され、第一弾性部材４１は、第一連結座に当接すると共に、ストッパー１１１に当接するように、中棒の内部に設置され、第二弾性部材４２は、第二連結座に当接すると共に、第一連結座の底面に当接するように、中棒の内部に設置され、第三弾性部材４３は、係止ユニットに当接すると共に、第二連結座の底面に当接するように、中棒の内部に設置される。【選択図】図１
0003213849.tif 000002
【実用新案登録請求の範囲】
【請求項１】
それぞれが順に環装する外部管体と中部管体と内部管体からなり、該外部管体は、上下摺動可能に中部管体に環装され、上端にストッパーが取り付けられ、該中部管体は、上下摺動可能に内部管体に環装され、該内部管体の底端に係止ユニットが取り付けられる、中棒と、
前記中棒の内部に設置される、第一連結座と、
前記中棒の内部に設置される、第二連結座と、
底端が第一連結座に当接すると共に、上端がストッパーに当接するように、前記中棒の内部に設置される、第一弾性部材と、
底端が第二連結座に当接すると共に、上端が第一連結座の底面に当接するように、前記中棒の内部に設置される、第二弾性部材と、
底端が係止ユニットに当接すると共に、上端が第二連結座の底面に当接するように、前記中棒の内部に設置される、第三弾性部材と、を有することを特徴とする自動折り畳み傘の弾性緩衝構造。
【請求項２】
前記第一連結座の上面に上突部が上方へ向って延設され、底面に下突部が下方へ向って延設され、
前記第一弾性部材の底端が上突部の周囲に環装され、
前記第二弾性部材の上端が下突部の周囲に環装されることを特徴とする請求項１に記載の自動折り畳み傘の弾性緩衝構造。
【請求項３】
前記第一連結座の外周面に、環状凸縁が径方向に延設され、該環状凸縁の外周縁が中棒の内壁と接触し、
前記第一弾性部材の底端が環状凸縁の上面に当接し、
前記第二弾性部材の上端が環状凸縁の底面に当接することを特徴とする請求項１または２に記載の自動折り畳み傘の弾性緩衝構造。
【請求項４】
前記第二連結座は、上部に上開口が形成される筒状部材であり、外壁が中棒の内壁と接触し、
前記第二弾性部材の底端が、上開口を通って第二連結座へ伸びると共に、外周縁が第二連結座の内壁に接触することを特徴とする請求項１または２に記載の自動折り畳み傘の弾性緩衝構造。
【請求項５】
前記第一連結座が摺動可能に中棒の内部に設置され、
前記第二連結座が中棒に固定装着されることを特徴とする請求項１または２に記載の自動折り畳み傘の弾性緩衝構造。
【請求項６】
前記第一弾性部材と、第二弾性部材と、第三弾性部材とが圧縮バネであることを特徴とする請求項１または２に記載の自動折り畳み傘の弾性緩衝構造。
【考案の詳細な説明】
【技術分野】
【０００１】
本考案は、特に自動折り畳み傘を展開するときの衝撃力を緩和するための弾性緩衝構造に関するものである。
【背景技術】
【０００２】
従来の手動折り畳み傘は、手動で展開して使用すると共に、閉じるときは、手動で中棒及び骨構造を折り畳んで傘を収納するものであり、この手動折り畳み傘の操作方法において傘を展開する場合は、使用者が傘の中棒を伸ばして骨構造を展開する操作が必要であり、傘を閉じる場合にも、使用者が中棒を引き戻して骨構造を畳む操作が必要であることから、例えば、使用者が片手で傘を開いたり閉じたりし難いなど、使用上非常に不便であった。
【０００３】
また、従来の自動折り畳み傘は、中棒の内部に弾性部材が取り付けられているので、使用者が手元にあるボタンを押すと、該弾性部材により中棒を自由に伸縮させて骨構造を連動することにより、傘の展開または収納を簡単に行うことが出来る。また、傘を閉じる時は、中棒にある弾性部材が圧縮している状態であり、その状態で手元のボタンを押すと、中棒にある弾性部材が解放されて自らの付勢力により伸びて骨構造が強力に展開されるため、使用者が手で骨構造を展開する必要はない。
【考案の概要】
【考案が解決しようとする課題】
【０００４】
しかしながら、既存の自動折り畳み傘は、１つの弾性部材しか有しないことから、中棒の長さに合わせて弾性部材の長さも長くしなければならなく、その弾性部材を解放させると、付勢力が強すぎて、傘を開いた時の衝撃力が大きく、使用者または周りの人にとって非常に危険であるので、改良する必要があった。
【課題を解決するための手段】
【０００５】
本考案に係る自動折り畳み傘の弾性緩衝構造は、
それぞれが順に環装する外部管体と中部管体と内部管体からなり、該外部管体は、上下摺動可能に中部管体に環装され、上端にストッパーが取り付けられ、該中部管体は、上下摺動可能に内部管体に環装され、該内部管体の底端に係止ユニットが取り付けられる、中棒と、
前記中棒の内部に設置される、第一連結座と、
前記中棒の内部に設置される、第二連結座と、
底端が第一連結座に当接すると共に、上端がストッパーに当接するように、前記中棒の内部に設置される、第一弾性部材と、
底端が第二連結座に当接すると共に、上端が第一連結座の底面に当接するように、前記中棒の内部に設置される、第二弾性部材と、
底端が係止ユニットに当接すると共に、上端が第二連結座の底面に当接するように、前記中棒の内部に設置される、第三弾性部材と、を有するものである。
【０００６】
かかる自動折り畳み傘の弾性緩衝構造において、
前記第一連結座の上面に上突部が上方へ向って延設され、底面に下突部が下方へ向って延設され、
前記第一弾性部材の底端が上突部の周囲に環装され、
前記第二弾性部材の上端が下突部の周囲に環装されることが好ましい。
【０００７】
かかる自動折り畳み傘の弾性緩衝構造において、
前記第一連結座の外周面に、環状凸縁が径方向に延設され、該環状凸縁の外周縁が中棒の内壁と接触し、
前記第一弾性部材の底端が環状凸縁の上面に当接し、
前記第二弾性部材の上端が環状凸縁の底面に当接することが好ましい。
【０００８】
かかる自動折り畳み傘の弾性緩衝構造において、
前記第二連結座は、上部に上開口が形成される筒状部材であり、外壁が中棒の内壁と接触し、
前記第二弾性部材の底端が、上開口を通って第二連結座へ伸びると共に、外周縁が第二連結座の内壁に接触することが好ましい。
【０００９】
かかる自動折り畳み傘の弾性緩衝構造において、
前記第一連結座が摺動可能に中棒の内部に設置され、
前記第二連結座が中棒に固定装着されることが好ましい。
【００１０】
かかる自動折り畳み傘の弾性緩衝構造において、前記第一弾性部材と、第二弾性部材と、第三弾性部材とが圧縮バネであることが好ましい。
【考案の効果】
【００１１】
本考案に係る自動折り畳み傘の弾性緩衝構造は、既存の長い弾性部材を３段の短い弾性部材にして次々に当接するように組み立てることにより、傘の展開時の衝撃力を緩和する効果を有する。
【図面の簡単な説明】
【００１２】
【図１】本考案に係る自動折り畳み傘の弾性緩衝構造の断面図である。
【図２】本考案に係る自動折り畳み傘の弾性緩衝構造により傘を展開した状態を示す断面図である。
【図３】本考案に係る自動折り畳み傘の弾性緩衝構造により傘を閉じた状態を示す断面図である。
【図４】図１の部分拡大図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１に示すように、本考案に係る自動折り畳み傘の弾性緩衝構造は、中棒１０と、第一連結座２０と、第二連結座３０と、第一弾性部材４１と、第二弾性部材４２と、第三弾性部材４３を有する。
【００１５】
前記中棒１０は、外部管体１１と、中部管体１２と、内部管体１３を備え、該外部管体１１は、上下摺動可能に中部管体１２に環装され、該中部管体１２は、上下摺動可能に内部管体１３に環装される。
【００１６】
図１、図２、図４に示すように、前記外部管体１１は、ストッパー１１１及び第一係合部１１２を備え、該ストッパー１１１は、外部管体１１の上端に取り付けられ、その中心に貫通穴が形成され、該第一係合部１１２は、斜めに縮径するように外部管体１１の底端に設けられる。前記中部管体１２は、第二係合部１２１及び第三係合部１２２を備え、該第二係合部１２１は、第一係合部１１２の形状に対応して斜めに拡径するように中部管体１２の上端に設けられ、すなわち、該第一係合部１１２の内径は、第二係合部１２１の外径よりも小さく設定され、該第三係合部１２２は、斜めに縮径するように中部管体１２の底端に設けられる。
【００１７】
この構成によれば、前記外部管体１１が中部管体１２の底端から上方に摺動する時に、該外部管体１１が第一係合部１１２を第二係合部１２１に接触させるまで中部管体１２の上端に移動すると、該第一係合部１１２が第二係合部１２１に係止される、つまり、該外部管体１１は中部管体１２に係止されて中部管体１２の上端から脱出することはない。なお、前記外部管体１１の第一係合部１１２の内径は、中部管体１２の第二係合部１２１の外径よりも小さいことから、該外部管体１１が中部管体１２の上端から環装されることができなく、必ず中部管体１２の底端から中部管体１２に環装される。
【００１８】
前記内部管体１３は、第四係合部１３１を備え、該第四係合部１３１は、第三係合部１２２の形状に対応して斜めに拡径するように内部管体１３の上端に設けられ、すなわち、該第三係合部１２２の内径は、第四係合部１３１の外径よりも小さく設定される。
【００１９】
この構成によれば、該中部管体１２が内部管体１３の底端から上方に摺動する時に、該中部管体１２が第三係合部１２２を第四係合部１３１に接触させるまで内部管体１３の上端に移動すると、該第三係合部１２２が第四係合部１３１に係止される、つまり、該中部管体１２が内部管体１３に係止されるので、内部管体１３の上端から脱出することはない。なお、前記中部管体１２の第三係合部１２２の内径は、内部管体１３の第四係合部１３１の外径よりも小さいことから、該中部管体１２が内部管体１３の上端から環装されることができなく、必ず内部管体１３の底端から内部管体１３に環装され、さらに、前記内部管体１３の底端に係止ユニット１３２が取り付けられる。
【００２０】
図２及び図４に示すように、前記第一連結座２０は、中棒１０の内部に設置され、且つ摺動可能に外部管体１１の内部に取り付けられ、連結座本体２１と、上突部２２と、下突部２３と、環状凸縁２４を備え、該上突部２２は、連結座本体２１の上面に上方へ向って延設され、該下突部２３は、連結座本体２１の底面に下方へ向って延設され、該環状凸縁２４は、連結座本体２１の外周面に径方向に向って延設され、該環状凸縁２４の外周縁が外部管体１１の内壁と接触する。
【００２１】
図４に示すように、本実施例における第一連結座２０は、その中心を上下方向に貫通する中空チューブであることから、外部管体１１と中部管体１２との間に介在しても外部管体１１の内部と中部管体１２の内部とを連通させることができる。
【００２２】
図３及び図４に示すように、前記第二連結座３０は、上下方向に貫通する中空状且つ筒状を呈し、その上部に上開口３１が形成され、その底部の内壁に内凸縁が中心に向かって延出し、該内凸縁の中心に小径の下開口３２が形成される。更に、該第二連結座３０は、中部管体１２に対して移動出来ないように、中棒１０の中部管体１２に固定され、その外壁は中部管体１２の内壁と接触する。
【００２３】
前記第一弾性部材４１は、中棒１０の内部に設置され、具体的には、その外周縁が外部管体１１の内壁にピッタリと接触するように、外部管体１１の内部に取り付けられる。すなわち、該第一弾性部材４１の外径が外部管体１１の内径に対応している。また、該第一弾性部材４１の上端は、外部管体１１のストッパー１１１の底端に当接すると共に、底端は、第一連結座２０の環状凸縁２４の上面に当接するように、上突部２２の周囲に環装される。尚、この環状凸縁２４を有すれば、第一弾性部材４１が環状凸縁２４の下方に延出することはない。
【００２４】
前記第二弾性部材４２は、中棒１０の内部に設置され、具体的には、外部管体１１と中部管体１２との間に取り付けられ、その上端は、第一連結座２０の環状凸縁２４の底面に当接するように、下突部２３の周囲に環装される。尚、この環状凸縁２４を有すれば、第二弾性部材４２が環状凸縁２４の上方に延出することはない。また、該第二弾性部材４２の底端は、第二連結座３０の内部に伸び、具体的には、上開口３１を通って第二連結座３０に伸び下開口３２の周囲の内凸縁に当接される。なお、該第二弾性部材４２の外周縁は、第二連結座３０の内壁に接触する。
【００２５】
前記第三弾性部材４３は、中棒１０の内部に設置され、具体的には、中部管体１２と内部管体１３との間に取り付けられ、その上端が第二連結座３０の底面に当接すると共に、その底端が内部管体１３の係止ユニット１３２に当接する。尚、本実施例においては、その第三弾性部材４３の外周縁が内部管体１３の内壁と接触し、第一弾性部材４１と、第二弾性部材４２と、第三弾性部材４３は圧縮バネであるが、これに限定されるものではない。
【００２６】
本考案は、上述した特徴を備えると共に、既存の自動折り畳み傘の開閉構成を備える。既存の自動折り畳み傘の開閉構成は、紐部材５０を有し、該紐部材５０は、チューブ５１と、紐５２と、係止ヘッド５３を備え、該チューブ５１は、上端を介してストッパー１１１に固定されると共に、該ストッパー１１１の貫通穴を通して外部管体１１の上方から第一連結座２０、第二連結座３０、中部管体１２、内部管体１３に貫設するように、中棒１０の内部に装着される。該紐５２は、チューブ５１を通して下方へ延出するように取り付けられる。該係止ヘッド５３は、紐５２の底端に取り付けられ、内部管体１３の係止ユニット１３２に係止されることができる。
【００２７】
本考案に係る自動折り畳み傘の弾性緩衝構造は、上述した紐部材５０を取り付けて使用することができる。また、使用者が実際の需要により傘を操作すると、操作により、圧縮状態または傘の展開した状態または傘の閉じた状態となることができる。
【００２８】
図１及び図４に示すように、圧縮状態において、外部管体１１と、中部管体１２と、内部管体１３とは、折り畳まれて、最も長く延出した長さの３分の１に縮退し、この縮退状態においては、第一弾性部材４１がストッパー１１１と第一連結座２０との間に折り畳まれ、第二弾性部材４２が第一連結座２０と第二連結座３０との間に折り畳まれ、第三弾性部材４３が第二連結座３０と係止ユニット１３２との間に折り畳まれる。この時、第一連結座２０の下突部２３が第二弾性部材４２に貫設されることから、第二弾性部材４２は、下突部２３と第二連結座３０の内壁との間に挟設され、また、係止ヘッド５３は、内部管体１３の係止ユニット１３２に係合される。
【００２９】
図１及び図２に示すように、傘を使用する時は、傘の手元にあるボタン（図示せず）を押し、第一弾性部材４１と第二弾性部材４２と第三弾性部材４３を解放してそれぞれの付勢力により外部管体１１と中部管体１２と内部管体１３を次々伸ばして中棒１０を延長させる。そのうち、該第一弾性部材４１と第二弾性部材４２と第三弾性部材４３はそれぞれ、一方の上端が他方の底端に当接するように取り付けられることから、それぞれ伸ばす時に、それぞれの弾力が互いに相殺されるため、その衝撃力を緩和することができ、それと同時に、係止ヘッド５３は係止ユニット１３２に係合されながら、紐５２を長く伸ばせることから、傘を展開した状態となる。
【００３０】
図２及び図３に示すように、傘の手元にあるボタンをもう一度押すと、係止ヘッド５３が内部管体１３の係止ユニット１３２から脱出して、紐５２及び係止ヘッド５３がチューブ５１を介して上方へ引っ張られ、傘を閉じる状態となる。つまり、使用者が本考案の弾性緩衝構造の上端を押すと、傘を展開した状態から圧縮状態に復位させて、傘を閉じることができる。
【００３１】
このように、本考案に係る自動折り畳み傘の弾性緩衝構造は、第一弾性部材４１と第二弾性部材４２と第三弾性部材４３との弾力を互いに相殺することにより、傘の展開時の衝撃力を緩和し、また、その第一弾性部材４１、第二弾性部材４２、第三弾性部材４３はそれぞれ、所定の長さを有することから、圧縮状態から解放した時、それらの弾性部材の伸ばした時の衝撃力を緩和する効果を有するので、手軽に傘を閉じる。故に、本考案に係る自動折り畳み傘の弾性緩衝構造を有すれば、傘をスムーズに開閉できるので、使用上の安全性や利便性を向上させることができる。
【符号の説明】
【００３２】
１０               中棒
１１               外部管体
１１１             ストッパー
１１２             第一係合部
１２               中部管体
１２１             第二係合部
１２２             第三係合部
１３               内部管体
１３１             第四係合部
１３２             係止ユニット
２０               第一連結座
２１               連結座本体
２２               上突部
２３               下突部
２４               環状凸縁
３０               第二連結座
３１               上開口
３２               下開口
４１               第一弾性部材
４２               第二弾性部材
４３               第三弾性部材
５０               紐部材
５１               チューブ
５２               紐
５３               係止ヘッド
【図１】
0003213849.tif 000003
【図２】
0003213849.tif 000004
【図３】
0003213849.tif 000005
【図４】
0003213849.tif 000006